(57)【特許請求の範囲】
【請求項１】
フィルタ（２００）を含み、
前記フィルタ（２００）はフィルタ前カバー（２０３）、および、前記フィルタ前カバー（２０３）と接続されたフィルタ裏カバー（２０６）とを含み、前記フィルタ裏カバー（２０６）は第１裏カバー（２１３）および第２裏カバー（２１１）を含み、
前記フィルタ前カバー（２０３）にろ過部が設けられ、前記ろ過部は下部の第１ろ過部（２０２）および上部の第２ろ過部（２０１）を含み、
前記フィルタ前カバー（２０３）と前記フィルタ裏カバー（２０６）との間に、第１フィルタチャンバおよび第２フィルタチャンバが形成され、
前記第１フィルタチャンバは、前記第１ろ過部（２０２）と前記フィルタ裏カバー（２０６）との間に設けられ、前記第２フィルタチャンバは、前記第２ろ過部（２０１）と前記フィルタ裏カバー（２０６）との間に設けられ、
前記第２フィルタチャンバおよび前記第１フィルタチャンバは上下に独立して設けられ、前記第１フィルタチャンバは第１取水口（２０４）を有し、前記第２フィルタチャンバは第２取水口（２０９）を有し、前記第１取水口（２０４）は前記第１裏カバー（２１３）の上部に設けられ、前記第２取水口（２０９）は前記第２裏カバー（２１１）の中央部に設けられることを特徴とする、全方位糸屑ろ過装置。
【請求項２】
前記第１裏カバー（２１３）と前記第１ろ過部（２０２）との間の距離は、前記第２裏カバー（２１１）と前記第２ろ過部（２０１）との間の距離より長いことを特徴とする、請求項１に記載の全方位糸屑ろ過装置。
【請求項３】
前記フィルタ前カバー（２０３）およびフィルタ裏カバー（２０６）の間に、第２フィルタチャンバのろ過された糸屑を収集する糸屑収集スペースも形成され、糸屑収集スペースは第２フィルタチャンバと通じ；前記糸屑収集スペースは第２フィルタチャンバおよび第１フィルタチャンバの間に設けられることを特徴とする、請求項１または２に記載の全方位糸屑ろ過装置。
【請求項４】
前記フィルタ裏カバー（２０６）は第３裏カバー（２１２）も含み、第３裏カバー（２１２）は第１裏カバー（２１３）および第２裏カバー（２１１）の間に位置し、第３裏カバー（２１２）および第２ろ過部（２０１）の間に糸屑収集スペースが形成されることを特徴とする、請求項３に記載の全方位糸屑ろ過装置。
【請求項５】
前記第３裏カバー（２１２）と前記第２ろ過部（２０１）との間の距離は、前記第１裏カバー（２１３）と前記第１ろ過部（２０２）との間の距離より長いことを特徴とする、請求項４に記載の全方位糸屑ろ過装置。
【請求項６】
くぼみを有するフィルタカバー（１００）も含み、前記フィルタ（２００）は前記フィルタカバー（１００）のくぼみ内に取り付けられ、前記フィルタ前カバー（２０３）および前記フィルタ裏カバー（２０６）は、前記くぼみの開口がある面に対して平行であり、
前記第１フィルタチャンバの前記第１裏カバー（２１３）と前記フィルタカバー（１００）との間に、第１フィルタチャンバの取水通路を有し、取水通路の取水口は第１フィルタチャンバの下部に位置し；
第２フィルタチャンバに対応する前記フィルタカバー（１００）に、水流を第２フィルタチャンバに導入する導流部が設けられ、フィルタカバー（１００）の両側面に導流部取水口（１０３）が設けられることを特徴とする、請求項１に記載の全方位糸屑ろ過装置。
【請求項７】
前記導流部に、第２フィルタチャンバの取水によってスイングすることができる導水遮断プレートが設けられ、導水遮断プレートは前記フィルタカバー（１００）の両側面の前記導流部取水口（１０３）の水流を第２フィルタチャンバに導入することを特徴とする、請求項６に記載の全方位糸屑ろ過装置。
【請求項８】
前記導水遮断プレートは、回転軸構造を介してフィルタカバー（１００）に取り付けられ、導水遮断プレートの両側に、水流が第２フィルタチャンバに流入する方向に沿って、誘導リブ（１１０）が設けられ；前記誘導リブ（１１０）の内側端部は、導水遮断プレートがスイングする範囲を最大９０°の角度の範囲に制限し、誘導リブ（１１０）の内側に、回転軸構造を自由に回転させるノッチが設けられることを特徴とする、請求項７に記載の全方位糸屑ろ過装置。
【請求項９】
請求項１〜８のいずれか１項に記載の糸屑ろ過装置を有し、内槽（４００）と内槽（４００）底部に設置されるパルセータ（３００）とを含む洗濯機であって、前記糸屑ろ過装置は内槽（４００）の内部側壁に取り付けられ、糸屑ろ過装置のフィルタカバー（１００）の下端は、内槽（４００）の底部側壁に取り付けられることを特徴とする洗濯機。
【発明の詳細な説明】
【技術分野】
【０００１】
本発明は、洗濯機における糸屑ろ過の技術分野に関し、具体的に、全方位糸屑ろ過装置および洗濯機に関する。
【背景技術】
【０００２】
現在、市場のパルセータ式洗濯機で常用される糸屑フィルタは、カセット式固定型、布袋式スイング型および布袋式固定型の３種のタイプがある。このうちカセット式固定型は糸屑収集効果が比較的劣り、１台の洗濯機に２つの糸屑フィルタを備えるとして計算すると、１つの洗濯プログラムにおける糸屑収集率は６０％前後である。１つの布袋式スイング型糸屑フィルタの１つのプログラムにおける収集率は５０％前後であるが、スイング式糸屑フィルタは洗濯過程で衣類が掛かりやすく、容易に脱落する。布袋式固定型糸屑フィルタの効果は、カセット式固定型と基本的に同じであり、糸屑収集率も比較的低い。布袋は使用過程で摩損して劣化し、ろ過効果が好ましくなくなる問題が容易に生じ、速やかに交換する必要がある。
【０００３】
出願番号が第２０１０１０５２４４４７．０号、発明の名称が洗濯機用全方位ろ過装置である中国特許がすでに開示されている。該全方位ろ過装置において、上フィルタチャンバの左右側壁に取水口が設けられ、上フィルタチャンバの前カバーは布袋式ろ過ネットである。上フィルタチャンバの前カバーの左右両側に逆止弁プレートが設けられ、上フィルタチャンバの中部に上フィルタチャンバを２つに分ける縦リブが設けられる。水流が上フィルタチャンバの一側の取水口からフィルタチャンバ内に流れるとき、水流は該取水口の逆止弁プレートを開いてフィルタチャンバに進入し、内から外に向かって、もう１つの取水口の逆止弁プレートにぶつかり、該取水口を閉じる。洗濯水が一側の取水口から上フィルタチャンバに進入すると、前記縦リブは水流方向を変更することができ、洗濯水は上フィルタチャンバのろ過装置を通ることができる。しかし、パルセータが回転するとき、水流を回転させるため、水流はチャンバに進入し、前記縦リブに直接当たって、水流が急激に逆流し、一部の水流がフィルタチャンバのろ過装置でろ過された後流出する。該側の取水口の逆止弁プレートは閉じるのが間に合わないため、さらに一部の水流がチャンバ内で渦巻を形成し、該側の取水口から流出するか、または直接跳ね返って該側の取水口から流出する。それと同時に一部の糸屑が飛び出て、糸屑の収集率が低下する。
【０００４】
したがって、既存の洗濯機における糸屑ろ過装置の糸屑ろ過方式は単一であり、良好な糸屑のろ過収集効果を達成することができない。
【０００５】
このことを考慮して、特に本発明を示す。
【先行技術文献】
【特許文献】
【０００６】
【特許文献１】中国特許出願番号第２０１０１０５２４４４７．０号明細書
【発明の概要】
【課題を解決するための手段】
【０００７】
上記問題を解決するため、本発明は、２種のろ過方式を組み合わせた技術案を採用した全方位糸屑ろ過装置を提供し、良好なろ過効果を達成した。具体的に、以下の技術案を採用した。
全方位糸屑ろ過装置はフィルタを含み、フィルタは上下に独立して設けられる第２フィルタチャンバおよび第１フィルタチャンバを含み、第１フィルタチャンバは第１取水口を有し、第２フィルタチャンバは第２取水口を有する。前記第１取水口および第２取水口はフィルタの同一側に設けられ、フィルタのもう一側にろ過部が設けられ、第１フィルタチャンバおよび第２フィルタチャンバは該ろ過部を共用する。
【０００８】
さらに、前記フィルタはフィルタ前カバーと、これと接続するフィルタ裏カバーとを含む。フィルタ前カバーおよびフィルタ裏カバーの間に、第１フィルタチャンバおよび第２フィルタチャンバがそれぞれ形成され、第１取水口および第２取水口はそれぞれフィルタ裏カバーに設けられる。前記第１取水口は第１フィルタチャンバの上部に設けられ、第２取水口は第２フィルタチャンバの中央位置部分に設けられる。
好ましくは、前記フィルタ裏カバー（２０６）に、第２フィルタチャンバ部分に対応してフランジ構造（２１０）が設けられる。フランジ構造（２１０）およびフィルタ前カバー（２０３）の間に、取水に用いる隙間が形成される。
【０００９】
さらに、前記フィルタのろ過部は、下部の第１ろ過部および上部の第２ろ過部を含み、前記フィルタ裏カバーは、第１裏カバーおよび第２裏カバーを含む。
前記第１ろ過部および第１裏カバーの間に第１フィルタチャンバが形成され、第２ろ過部および第２裏カバーの間に第２フィルタチャンバが形成される。前記第１裏カバーおよび第１ろ過部の間の距離は、第２裏カバーおよび第２ろ過部の間の距離より長い。
【００１０】
さらに、前記フィルタ前カバーおよびフィルタ裏カバーの間に、第２フィルタチャンバのろ過された糸屑を収集する糸屑収集スペースも形成され、糸屑収集スペースは第２フィルタチャンバと通じる。前記糸屑収集スペースは、第２フィルタチャンバおよび第１フィルタチャンバの間に設けられる。
【００１１】
さらに、前記フィルタ裏カバーは第３裏カバーも含む。第３裏カバーは第１裏カバーおよび第２裏カバーの間に位置し、第３裏カバーおよび第２ろ過部の間に糸屑収集スペースが形成される。好ましくは、前記第３裏カバーおよび第２ろ過部の間の距離は、第１裏カバーおよび第１ろ過部の間の距離より長い。
【００１２】
さらに、フィルタカバーも含み、前記フィルタはフィルタに取り付けられる。前記第１フィルタチャンバの第１取水口側およびフィルタカバーの間に、第１フィルタチャンバの取水通路を有し、取水通路の取水口は第１フィルタチャンバの下部に位置する。
第２フィルタチャンバに対応する前記フィルタカバーに、水流を第２フィルタチャンバに導入する導流部が設けられ、フィルタカバーの両側に導流部取水口が設けられる。
【００１３】
さらに、前記導流部に、第２フィルタチャンバの取水方向に沿ってスイングすることができる導水遮断プレートが設けられ、導水遮断プレートは両側の導流部取水口の水流を第２フィルタチャンバに導入する。
好ましくは、前記導水遮断プレートは、第２フィルタチャンバの両側の取水口に平行に設置される第１導水遮断プレートおよび第２導水遮断プレートを含む。第１導水遮断プレートおよび第２導水遮断プレートの間に、そのスイングを限度位置に制限する位置制限リブが設けられる。
【００１４】
さらに、前記導水遮断プレートは、回転軸構造を介してフィルタカバーに取り付けられる。導水遮断プレートの両側に、水流が第２フィルタチャンバに流入する方向に沿って、一連の誘導リブが設けられる。前記誘導リブの内側端部は、導水遮断プレートの最大スイング角度を９０°に制限し、誘導リブの内側に、回転軸構造を自由に回転させるノッチが設けられる。
【００１５】
本発明は、上記糸屑ろ過装置を有し、内槽と内槽底部に設置されるパルセータとを含む洗濯機を同時に提供している。前記糸屑ろ過装置は内槽の内部側壁に取り付けられ、糸屑ろ過装置のフィルタカバーの下端は、内槽の底部側壁に取り付けられる。
【００１６】
さらに、前記フィルタカバーの下端は第１固定端および第２固定端を有する。第２固定端はフィルタカバーの下端端部であり、第２固定端は内槽の底部側壁に取り付けられて、パルセータと接触する。
前記第１固定端は、フィルタカバーが内槽の内側に延伸して形成される。第１固定端は第２固定端の上部に設けられて間隔を有し、該間隔は第１フィルタチャンバの取水通路の取水口に用いられる。前記フィルタの下端は、第１固定端に取り付けられる。
【００１７】
本発明の糸屑ろ過装置は、独立して設けられる第１フィルタチャンバおよび第２フィルタチャンバの２つの糸屑フィルタチャンバを有する。第２フィルタチャンバの前面両側から取水し、前面から出水する方式で糸屑ろ過を実現し、第１フィルタチャンバの裏面から取水し、前面から出水する方式で糸屑ろ過を実現する。本発明の糸屑ろ過装置は、２種の糸屑ろ過方式を組み合わせて、糸屑ろ過の効果を最大限に高めた。
【発明の効果】
【００１８】
したがって、本発明は以下の技術的効果を有する。
１、第２フィルタチャンバは、前面両側から取水する。洗濯機内の洗濯水は、洗濯過程でパルセータが正逆回転するのに伴い、洗濯水は正逆回転時、第１フィルタチャンバの両側からそれぞれ進入する。フィルタ前面から流出し、フィルタを経過するとき、糸屑はろ過、収集される。したがって、第２フィルタチャンバの取水方式は簡単で、ろ過効率は高い。
【００１９】
２、第１フィルタチャンバは、底部裏面から取水する。主に洗濯機のパルセータの作用で、洗濯水は下部から糸屑ろ過装置の取水通路に押され、裏面の取水口から第１フィルタチャンバ内に進入する。フィルタ前面から排出され、フィルタを経過するとき、糸屑はろ過、収集される。第１フィルタチャンバは相対的に密封されるため、糸屑ろ過効果はより良好であり、さらに取水口は背面の上方に設けられ、糸屑の逆流を効果的に防止することができる。
【００２０】
３、本発明の糸屑ろ過装置における２つの糸屑フィルタチャンバの取水方式は異なり、独立して動作することができ、ろ過効率を高めた。
【００２１】
４、本発明の糸屑ろ過装置は、洗濯機の洗濯時、槽内の水流の状態に基づいて、異なる取水方式を講じ、取水量を増大させ、糸屑ろ過効果を高めた。
【００２２】
本発明の洗濯機は、糸屑ろ過装置の下端を内槽底部に取り付けることにより、洗濯機内槽の少なくとも２／３の高さには、いずれも糸屑フィルタチャンバが設けられる。糸屑ろ過装置の取水量を大幅に増加させ、糸屑ろ過の効果を顕著に高めた。
【図面の簡単な説明】
【００２３】
【図１】図１は、本発明の糸屑ろ過装置を閉じた状態の立体概要図である。
【図２】図２は、本発明の糸屑ろ過装置を開いた状態の立体概要図である。
【図３】図３は、本発明のフィルタを開いた状態における背面からの立体概要図である。
【図４】図４は、本発明のフィルタにおける縦方向の断面概要図である。
【図５】図５は、本発明のフィルタの正面概要図である。
【図６】図６は、本発明のフィルタにおける横方向の断面概要図である。
【図７】図７は、本発明の実施例２のフィルタにおける横方向の断面概要図である。
【図８】図８は、本発明の洗濯機の立体概要図である。
【図９】図９は、本発明の洗濯機の断面図である。
【発明を実施するための形態】
【００２４】
以下、図を組み合わせて、本発明の全方位糸屑ろ過装置および洗濯機について、詳細に記載する。
図１、図２、図３、図４および図５に示すように、本発明の全方位糸屑ろ過装置はフィルタ２００を含む。フィルタ２００は上下に独立して設けられる第２フィルタチャンバおよび第１フィルタチャンバを含み、第１フィルタチャンバは第１取水口２０４を有し、第２フィルタチャンバは第２取水口２０９を有する。前記第１取水口２０４および第２取水口２０９はフィルタ２００の同一側に設けられ、フィルタ２００のもう一側にろ過部が設けられ、第１フィルタチャンバおよび第２フィルタチャンバは該ろ過部を共用する。
【００２５】
本発明の糸屑ろ過装置のフィルタ２００は、独立して設けられる第１フィルタチャンバおよび第２フィルタチャンバの２つの糸屑フィルタチャンバを有する。第２フィルタチャンバの前面両側から取水し、前面から出水する方式で糸屑ろ過を実現し、第１フィルタチャンバの裏面から取水し、前面から出水する方式で糸屑ろ過を実現する。本発明の糸屑ろ過装置は、２種の糸屑ろ過方式を組み合わせて、糸屑ろ過の効果を最大限に高めた。
【００２６】
具体的に、本発明のフィルタ２００はフィルタ前カバー２０３と、これと接続するフィルタ裏カバー２０６とを含む。フィルタ前カバー２０３およびフィルタ裏カバー２０６の間に、第１フィルタチャンバおよび第２フィルタチャンバがそれぞれ形成され、第１取水口２０４および第２取水口２０９はそれぞれフィルタ裏カバー２０６に設けられる。前記第１取水口２０４は第１フィルタチャンバの上部に設けられ、第２取水口２０９は第２フィルタチャンバの中央位置部分に設けられる。
【００２７】
本発明のフィルタ前カバー２０３およびフィルタ裏カバー２０６を組み合わせると、箱状構造が形成され、第１フィルタチャンバが箱状構造である。箱状構造は相対的に密封されるため、第１フィルタチャンバに進入する洗濯水は、フィルタ前カバー２０３からしか排出することができず、ろ過効果は良好である。他に、箱状構造の第１フィルタチャンバは、糸屑の収集がより便利であり、糸屑の逆流を防止する。
【００２８】
本発明のフィルタ裏カバー２０６の上部に第１取水口２０４が設けられ、第１取水口２０４が第１フィルタチャンバの取水口である。第１取水口２０４をフィルタ裏カバー２０６の上部に設けることにより、洗濯水は上部から第１フィルタチャンバ内部に進入し、糸屑のろ過により有利である。他に、水流が上部の第１取水口２０４から進入するのは、糸屑の収集、糸屑の逆流の防止にもより有利である。
【００２９】
本発明の第１フィルタチャンバおよび第２フィルタチャンバはろ過部２００を共用するため、前記フィルタ２００のろ過部は、下部の第１ろ過部２０２および上部の第２ろ過部２０１を含み、前記フィルタ裏カバー２０６は、第１裏カバー２１３および第２裏カバー２１１を含む。前記第１ろ過部２０２および第１裏カバー２１３の間に、第１フィルタチャンバが形成され、第２ろ過部２０１および第２裏カバー２１１の間に、第２フィルタチャンバが形成される。
【００３０】
本発明の第１フィルタチャンバおよび第２フィルタチャンバの取水方式は異なり、さらに糸屑収集の方式も異なる。第１フィルタチャンバは箱状構造であり、取水方式は主に裏面からの取水であるため、第１フィルタチャンバの容積をより大きくすることができ、主要な糸屑ろ過、収集作用を発揮する。第２フィルタチャンバは主に両側から取水するため、第２フィルタチャンバの厚さを過度に厚くすると、取水に影響を及ぼすか、またはこれを洗濯機の内槽に取り付けるのに影響を及ぼす。したがって、本発明の前記第１裏カバー２１３および第１ろ過部２０２の間の距離は、第２裏カバー２１１および第２ろ過部２０１の間の距離より長い。
【００３１】
ろ過部の作用は、糸屑フィルタのフィルタチャンバに進入した水流を流出させ、それと同時に水流中の糸屑をろ過して糸屑フィルタ内部に留めることである。したがって、本発明のろ過部はろ過フレームおよびろ過ネットを含み、前記ろ過フレームはいくつかの水通過口が設けられたフレーム構造であり、ろ過ネットはフレーム構造に取り付けられる。これと同時に、前記フィルタ前カバー２０３に水流を流出させる出水孔２０８が設けられる。
【００３２】
もう１つの好ましい実施方式として、本発明のろ過部は、フィルタ前カバー２０３に設けた小さい貫通孔により形成することもできる。
【００３３】
本発明の好ましい実施方式として、前記フィルタ前カバー２０３およびフィルタ裏カバー２０６の間に、第２フィルタチャンバのろ過された糸屑を収集する糸屑収集スペースも形成され、糸屑収集スペースは第２フィルタチャンバと通じる。前記糸屑収集スペースは、第２フィルタチャンバおよび第１フィルタチャンバの間に設けられる。これは主に第２フィルタチャンバの容積が比較的小さく、収集することができる糸屑が比較的少ないため、糸屑を過度に多く収集するとき、第２フィルタチャンバの糸屑収集効果に影響を及ぼすためである。第１フィルタチャンバの糸屑収集効果は比較的高く、頻繁にフィルタ２００を取り外して糸屑を除くと、第１フィルタチャンバを充分に利用することができなくなるため、本発明は第２フィルタチャンバの糸屑収集スペースを設けることにより、第２フィルタチャンバの糸屑収集効果を高めることができる。
【００３４】
具体的に、前記フィルタ裏カバー２０６は第３裏カバー２１２も含む。第３裏カバー２１２は第１裏カバー２１３および第２裏カバー２１１の間に位置し、第３裏カバー２１２および第２ろ過部２０１の間に糸屑収集スペースが形成される。好ましくは、前記第３裏カバー２１２および第２ろ過部２０１の間の距離は、第１裏カバー２１３および第１ろ過部２０２の間の距離より長い。
【００３５】
本発明の全方位糸屑ろ過装置はフィルタカバー１００も含み、前記フィルタ２００はフィルタ２００に取り付けられる。前記第１フィルタチャンバの第１取水口側およびフィルタカバー１００の間に、第１フィルタチャンバの取水通路を有し、取水通路の取水口は第１フィルタチャンバの下部に位置する。第２フィルタチャンバに対応する前記フィルタカバー１００に、水流を第２フィルタチャンバに導入する導流部が設けられ、フィルタカバー１００の両側に導流部取水口１０３が設けられる。
【００３６】
本発明のフィルタ２００がフィルタカバー１００に取り付けられると、フィルタ２００の第１フィルタチャンバおよび第２フィルタチャンバの異なる取水方式が実現され、フィルタ２００の糸屑ろ過効果を高めた。
【００３７】
本発明の導流部に、第２フィルタチャンバの取水方向に沿ってスイングすることができる導水遮断プレートが設けられ、導水遮断プレートは第２フィルタチャンバにおける両側の取水口からの水流をフィルタ２００のろ過部に誘導して、第２フィルタチャンバの糸屑ろ過を実現する。本発明の導水遮断プレートは、フィルタチャンバ内に進入する洗濯水の導流を実現し、これにより第２フィルタチャンバに進入する水流はより良好にフィルタを通過することができ、糸屑ろ過の効果を顕著に高める。
【００３８】
本発明の好ましい実施方式として、本発明の導水遮断プレートは、第２フィルタチャンバの両側の取水口に平行に設置される第１導水遮断プレート１１１および第２導水遮断プレート１１２を含む。第１導水遮断プレート１１１および第２導水遮断プレート１１２は、回転軸構造を介してフィルタカバー１００に取り付けられる。前記第１導水遮断プレート１１１および第２導水遮断プレート１１２の間に、そのスイングを限度位置に制限する位置制限リブ１０９が設けられる。
【００３９】
具体的に、前記位置制限リブ１０９は、フィルタカバー１００の導流部の底壁に設けられ、第１導水遮断プレート１１１および第２導水遮断プレート１１２は、位置制限リブ１０９の両側にそれぞれ設けられる。洗濯水が第１導水遮断プレート１１１側の導流部取水口１０３から進入するとき、第１導水遮断プレート１１１はこれに伴って位置制限リブ１０９部分までスイングし、洗濯水は第１導水遮断プレート１１１の導流作用下で第２フィルタチャンバに進入し、その後、第２フィルタチャンバの第２ろ過部２０１から排出される。洗濯水が第２導水遮断プレート１１２側の導流部取水口１０３から進入するとき、動作方式は同じである。
【００４０】
本発明の第２フィルタチャンバ内に設けられる第１導水遮断プレート１１１および第２導水遮断プレート１１２は、進入した洗濯水をより良好に導流することができる。洗濯水を可能な限り第２ろ過部２０１から排出させ、第２フィルタチャンバのろ過効果を高める。好ましくは、前記第１導水遮断プレート１１１および第２導水遮断プレート１１２のスイング角度は１５０°より小さい。
【００４１】
本発明の好ましい実施方式として、前記位置制限リブ１０９は三角柱状構造であり、位置制限リブ１０９は、第１導水遮断プレート１１１および第２導水遮断プレート１１２とそれぞれ対応する２つの斜面を有する。第１導水遮断プレート１１１が位置制限リブ１０９部分までスイングするとき、第１導水遮断プレート１１１は位置制限リブ１０９の一側の斜面に重なって制限され、洗濯水は該斜面により第２ろ過部２０１に導流、排出される。第２導水遮断プレート１１２が位置制限リブ１０９部分までスイングするとき、動作方式は同じである。したがって、本発明の位置制限リブ１０９は、第１導水遮断プレート１１１および第２導水遮断プレート１１２を効果的に制限、支持することができるだけでなく、第１導水遮断プレート１１１および第２導水遮断プレート１１２を、相対的に安定し、効果的な誘導状態に保持することもでき、導流効果を高めた。
【００４２】
本発明の好ましい実施方式として、前記第２フィルタチャンバ内に、水流方向に沿って一連の誘導リブ１１０がさらに設けられ、誘導リブ１１０は導水遮断プレートの両側に設けられる。好ましくは、誘導リブ１１０は導水遮断プレートに垂直に設けられ、導水遮断プレートの同一側における誘導リブ１１０間に、取水通路が形成され、水流を取水通路に沿って第２フィルタチャンバに進入させる。誘導リブ１１０は、導水遮断プレートとの間に一定の間隔を有する。
【００４３】
誘導リブ１１０の設置により、両側の取水口は小さくなり、洗濯過程で衣類が糸屑フィルタに掛かり、衣類が損傷するのをより良好に防止する。誘導リブ１１０が導水遮断プレートとの間に一定の間隔を有するのは、導水遮断プレートの正常な動作を保証し、そのスイングに影響を及ぼさないためである。
【００４４】
好ましい実施方式として、誘導リブ１１０の内側および導水遮断プレートの間の距離は、導水遮断プレートの高さより短い。このような設置により、導水遮断プレートが両側の限度位置部分までスイングするとき、誘導リブ１１０に支持されることができ、これにより誘導リブ１１０の内側を導水遮断プレートのスイングの限度端とする。誘導リブ１１０は導水遮断プレートを位置制限および支持する作用を同時に発揮することができ、他に導水遮断プレートの位置制限構造を設ける必要はない。導水遮断プレートの両側に一連の誘導リブ１１０を対称に設けることにより、導水遮断プレートが受ける支持力はより均等になり、導水遮断プレートの一部が過度に大きい力を受けて変形または断裂するのを防止する。
【００４５】
好ましい実施方式として、誘導リブ１１０は平板構造である。誘導リブ１１０の下端はフィルタカバー１００のくぼみの底壁と固定接続され、上端は階段状構造を呈する。前記階段状構造は、フィルタ２００の両側の支持フレームを挟む。
【００４６】
誘導リブ１１０は両側の導流部取水口１０３中にそれぞれ配置されるため、前記誘導リブ１１０の階段状構造は、導流部取水口１０３の幅と等しい段を少なくとも１つ含む。導水遮断プレートの両側に、誘導リブ１１０の階段状構造の段差をそれぞれ少なくとも１つ有し、フィルタ２００を挟む。
【００４７】
本発明の階段状構造を含む誘導リブは、フィルタ２００の支持作用も、フィルタ２００の位置制限作用も実現し、フィルタ２００をフィルタカバー１００に取り付ける安定性を高めた。
【００４８】
図６に示すように、本発明の好ましい実施方式として、前記フィルタ裏カバー２０６に、第２フィルタチャンバ部分に対応してフランジ構造２１０が設けられる。フランジ構造２１０およびフィルタ前カバー２０３の間に隙間が形成され、隙間の高さＤは５ｍｍ以下である。本発明のフランジ構造２１０は、第２フィルタチャンバの糸屑収集に有利であり、水流が過度に大きいために糸屑が逆流するのを最大限に防止する。
【実施例】
【００４９】
実施例１
図３に示すように、本実施例および上記発明を実施するための形態の違いは次の通りである。フィルタ裏カバー２０６の内壁に逆流防止構造２０５が設けられ、前記逆流防止構造２０５は第１取水口２０４の下部に設けられる。
【００５０】
逆流防止構造の糸屑の逆流を防止する作用を実現し、それと同時に洗濯水が糸屑フィルタチャンバに進入し、ろ過される作用に影響を及ぼさないようにするため、フィルタ前カバー２０３およびフィルタ裏カバー２０６が閉じるとき、前記逆流防止構造２０５は、フィルタ前カバー２０３の内壁と一定の間隔を有する。前記逆流防止構造２０５の高さは、フィルタ前カバー２０３およびフィルタ裏カバー２０６が閉じて形成される間隔の１／１０〜１／２、好ましくは１／４である。
【００５１】
本実施例のフィルタ前カバー２０３の下部と、フィルタ裏カバー２０６の下部とは、ヒンジ軸により接続される。本実施例の逆流防止構造２０５は複数含み、各逆流防止構造２０５は単独で設けられ、体積は比較的小さい。逆流防止構造２０５は第１取水口２０４の近くに設けられ、逆流防止構造２０５は第１取水口２０４に沿って下に向かって配置される。このような設置は、水流が第１取水口２０４から進入するのにも、糸屑を収集するのにも影響を及ぼさない。逆流防止構造２０５を設ける面積は、フィルタ裏カバー２０６の内壁面積の１／２以下であり、このように糸屑フィルタが糸屑を収集する空間を充分に有することを保証することができる。
【００５２】
本実施例の逆流防止構造２０５は、フィルタ裏カバー２０６の内壁に設けられる一連の突起構造からなり、突起構造の間は互い違いに設けられる。突起構造の間を互い違いに設けることにより、フィルタ裏カバー２０６全体は、水平方向で突起構造の制限作用を受ける。
【００５３】
本実施例の逆流防止構造２０５は、具体的にうろこ状の突起構造が好ましく、前記うろこ状の突起構造の側断面は直歯状である。うろこ状の突起構造は適当な２つの斜面を有し、２つの斜面の最上部は互いに支持する。１つの斜面は第１取水口２０４に面し、もう１つの斜面はフィルタ裏カバー２０６の底部に面し、フィルタ裏カバー２０６の底部に面する斜面の斜度は、第１取水口２０４に面する斜面より小さい。このような設置により、一方では第１取水口２０４から進入する水流が、比較的緩い斜面に沿って穏やかにフィルタチャンバに進入し、それと同時に水流中の糸屑も順調に滑り落ちることができる。もう一方では、糸屑フィルタ内に収集された糸屑が、水流の衝撃で逆流し、逆流防止構造２０５部分まで上昇するが、小さい斜度の斜面は蓋のようにして、糸屑が続けて上昇するのを効果的に阻止することができ、糸屑の逆流を効果的に防止することができる。
【００５４】
実施例２
上記発明を実施するための形態の糸屑ろ過装置は、回転軸構造の回転を避ける空間を有する。誘導リブ１１０は、一般的に回転軸構造との間に０．５ｍｍ前後の間隔を有し、誘導リブ１１０は最大でも回転軸構造に接近することしかできない。このように、フィルタ２００がフィルタカバー１００に取り付けられると、導水遮断プレートは回転軸構造の駆動下で誘導リブ１１０を超える部分まで回転し、フィルタ２００に押され、順調に戻ることができないことがたびたびある。このように糸屑収集効率に大幅に影響を及ぼし、これによりユーザの使用に影響を及ぼす。
【００５５】
図７に示すように、本実施例は上記問題を解決するため、以下の技術案を採用した。導水遮断プレートは回転軸構造を介してフィルタカバー１００に取り付けられ、導水遮断プレートの両側に、水流が第２フィルタチャンバに流入する方向に沿って、一連の誘導リブ１１０が設けられる。前記誘導リブ１１０の内側端部は、導水遮断プレートの最大スイング角度を９０°に制限し、誘導リブ１１０の内側に、回転軸構造を自由に回転させるノッチが設けられる。
【００５６】
具体的に、本実施例の第１導水遮断プレート１１１側の誘導リブ１１０の内側が内に延伸する。これにより、誘導リブ１１０の内側は第１導水遮断プレート１１１が９０°までスイングするとき、これと接触し、第１導水遮断プレート１１１がスイングし続けて誘導リブ１１０を超えるのを制限する。このように、誘導リブ１１０の端部は回転軸構造の正常な回転に干渉する。したがって、誘導リブ１１０の内側端部に、第１導水遮断プレート１１１の第１回転軸構造１１３に対応して第１ノッチ１１５が設けられる。同じ理由で、第２導水遮断プレート１１２側の誘導リブ１１０の内側も内に延伸する。該側の誘導リブ１１０の内側端部に、第２導水遮断プレート１１２の第２回転軸構造１１４に対応して第２ノッチ１１６が設けられる。
【００５７】
本実施例における洗濯機フィルタカバー１００の誘導リブ１１０は、後部が貫通した構造に革新され、誘導リブ１１０は導水遮断プレートの回転軸構造を避けることができる。これにより、導水遮断プレートは最大で９０°までしか回転することができず、フィルタ２００が導水遮断プレートを押さえるのを防止する。したがって、水流のフィルタカバー１００およびフィルタ２００における流動方向を調整し、さらには糸屑収集効率を高める。
【００５８】
実施例３
図８および図９に示すように、本実施例は、上記発明を実施するための形態または実施例に記載した糸屑ろ過装置を有し、内槽４００と内槽４００底部に設置されるパルセータ３００とを含む洗濯機を提供している。前記糸屑ろ過装置は内槽４００の内部側壁に取り付けられ、糸屑ろ過装置のフィルタカバー１００の下端は内槽４００の底部側壁に取り付けられる。
【００５９】
具体的に、前記フィルタカバー１００の下端は第１固定端１０７および第２固定端１０６を有する。第２固定端１０６はフィルタカバー１００の下端端部であり、第２固定端１０６は内槽４００の底部側壁に取り付けられて、パルセータ３００と接触する。前記第１固定端１０７は、フィルタカバー１００が内槽４００の内側に延伸して形成される。第１固定端１０７は、第２固定端１０６の上部に設けられて間隔を有し、該間隔は第１フィルタチャンバの取水通路の取水口に用いられる。前記フィルタ２００の下端は、第１固定端１０７に取り付けられる。
【００６０】
本実施例のパルセータ３００は内槽４００の内槽底４０１に設置され、内槽４００の上端部にバランスリング５００が設置される。本実施例のフィルタカバー１００は固定部１０１および取付部１０２を含み、フィルタカバー１００の固定部１０１は内槽４００と固定接続され、固定部１０１の上端はバランスリング５００と接触する。本実施例のフィルタ２００は、留め具２０７によりフィルタカバー１００の取付部１０２に取り付けられる。
【００６１】
本発明の洗濯機は、糸屑ろ過装置の下端を内槽底部に取り付けることにより、洗濯機内槽の少なくとも２／３の高さには、いずれも糸屑フィルタチャンバが設けられる。糸屑ろ過装置の取水量を大幅に増加させ、糸屑ろ過効果を顕著に高めた。
【００６２】
以上の記載は本発明の好ましい実施例に過ぎず、本発明をどのような形式でも制限しない。本発明は好ましい実施例により上記のように開示したが、本発明を制限するものではない。当業者は本発明の技術案を逸脱しない範囲内で、上記に示した技術的内容を利用して、同等に変更した等価実施例に変更または修飾することができるが、いずれも本発明の技術案の内容を逸脱しない。本発明の技術的本質に基づいて、以上の実施例に対して行う簡単な修正、同等の変更および修飾は、いずれも本発明案の範囲内に属する。
【符号の説明】
【００６３】
１００  フィルタカバー
１０１  固定部
１０２  取付部
１０３  導流部取水口
１０６  第２固定端
１０７  第１固定端
１０９  位置制限リブ
１１０  誘導リブ
１１１  第１導水遮断プレート
１１２  第２導水遮断プレート
１１３  第１回転軸構造
１１４  第２回転軸構造
１１５  第１ノッチ
１１６  第２ノッチ
２００  フィルタ
２０１  第２ろ過部
２０２  第１ろ過部
２０３  フィルタ前カバー
２０４  第１取水口
２０５  逆流防止構造
２０６  フィルタ裏カバー
２０７  留め具
２０８  出水孔
２０９  第２取水口
２１０  フランジ構造
２１１  第２裏カバー
２１２  第３裏カバー
２１３  第１裏カバー
３００  パルセータ
４００  内槽
４０１  内槽底
５００  バランスリング
【図１】
0006665986.tif 000002
【図２】
0006665986.tif 000003
【図３】
0006665986.tif 000004
【図４】
0006665986.tif 000005
【図５】
0006665986.tif 000006
【図６】
0006665986.tif 000007
【図７】
0006665986.tif 000008
【図８】
0006665986.tif 000009
【図９】
0006665986.tif 000010